(57)【特許請求の範囲】
【請求項１】
底壁と周壁を有するボックス状で、該底壁に間隔をあけて一対の半球状のカップ保持突起を備え、
上記ボックスの周壁を低くして浅底とし、該浅底のままで内部に販売用の一枚のブラジャーを装着してブラジャー陳列台からなる包装容器とする一方、
上記周壁と同一外形の枠状のオプションの周壁材を設け、
上記周壁の上部に上記オプションの周壁材を着脱自在に連結できる連結手段を設け、
ブラジャーを購入したユーザーが、上記オプションの周壁材を付け足して深底とし、複数枚のブラジャーを重ねて内部に収容できるブラジャー収納ボックスにできることを特徴とするブラジャー陳列台兼ブラジャー収納容器。
【請求項２】
略長方形状の基板からなり、周壁と底壁との境界位置および４隅に折り目線を設けると共に、上記底壁には一対の半球状のカップ保持突起を設けておき、
上記周壁を底壁の裏面側に折り返すと共に平面状に折り畳んで台紙状のブラジャー陳列台からなる包装容器とする一方、ブラジャーを購入したユーザーが、この折り畳まれた状態から上記周壁を表面側へと折り返して上記底壁の周縁から起立させ、上面開口のブラジャー収納ボックスにできる構成としているブラジャー陳列台兼ブラジャー収納容器。
【請求項３】
上記ブラジャー収納ボックスとした状態でタンスの引き出し内部に収容できる高さとしている請求項１または請求項２のいずれか１項に記載のブラジャー陳列台兼ブラジャー収納容器。
【請求項４】
透明樹脂で成形している請求項１乃至請求項３のいずれか１項に記載のブラジャー陳列台兼ブラジャー収納容器。
【発明の詳細な説明】
【０００１】
【発明の属する技術分野】
本発明は、ブラジャー陳列台兼ブラジャー収納容器に関し、詳しくは、ブラジャー販売時の陳列台を利用して、ユーザーがタンス等の引き出し内に配置するブラジャー収納容器とすることができ、複数枚のブラジャーをカップを保持した状態で重ねて収容でき、他の下着と区別して整理収納できるようにするものである。
【０００２】
【従来の技術】
従来、タンスの引き出し内に洗濯後のブラジャーを収納する場合、特に、ブラジャー専用の収納部が設けられていないと共に、ブラジャーのカップ形状を保持した状態で複数枚を重ねて収納できる容器も提供されていない。
【０００３】
【発明が解決しようとする課題】
上記したように、タンス内にブラジャー専用収納部が設けられていないため、他の収納品、例えば、パンテイ、パンテイストッキング、肌着等と混在し易く、かつ、ブラジャーのフック等が他の衣類に引っ掛かり易い問題もある。
また、ブラジャーの左右のカップ部を保持するものがないため、カップ形状の型崩れが発生し易い問題もある。
【０００４】
本発明は上記問題に鑑みてなされたもので、タンスの引き出し内に取り出し自在に配置できるブラジャー収納容器を、ブラジャー購入時にブラジャーが装着されている陳列台を利用して設けることを課題としている。
【０００５】
【課題を解決するための手段】
上記課題を解決するため、本発明は、底壁と周壁を有するボックス状で、該底壁に間隔をあけて一対の半球状のカップ保持突起を備え、
上記ボックスの周壁を低くして浅底とし、該浅底のままで内部に販売用の一枚のブラジャーを装着してブラジャー陳列台からなる包装容器とする一方、
上記周壁と同一外形の枠状のオプションの周壁材を設け、
上記周壁の上部に上記オプションの周壁材を着脱自在に連結できる連結手段を設け、
ブラジャーを購入したユーザーが、上記オプションの周壁材を付け足して深底とし、複数枚のブラジャーを重ねて内部に収容できるブラジャー収納ボックスにできることを特徴とするブラジャー陳列台兼ブラジャー収納容器を提供している。
【０００６】
上記陳列台兼収納容器は樹脂成型品としても良いし、薄い樹脂成形板あるいは厚紙を折り曲げて形成してもよく、さらに厚紙と一部に樹脂成形したカップ保持材を組み合わせて形成してもよい。
なお、透明な樹脂成形品とする方が重ねて収納したブラジャーを外観できるため好ましい。
【０００７】
上記したブラジャー収納容器をタンス内等に入れておくと、洗濯後のブラジャーのカップ部を上記容器内のカップ保持突起に被せて収容すると、カップ形状の保持が出来る。また、複数枚を重ねて収納しておくことができ、ブラジャーを他の衣類と区別して、整理整頓した状態で収容でき、使い勝手が良くなる。
【０００８】
上記のように、本発明では、ボックスの周壁を低くして浅底とし、該浅底のままで内部に販売用ブラジャーを装着してブラジャー陳列台とし、該周壁と同一外形の枠状のオプションの周壁材を設け、上記周壁にオプションの周壁材を連結して深底として、複数枚のブラジャーを重ねて収納できる容器としている。
即ち、陳列台として用いる場合は周壁を高くして深底としておくと、かさばって販売スペースをとると共に見栄えも良くない問題がある。よって、販売時に上記オプション材を付属品として提供し、ブラジャー収納容器として利用したいユーザーが陳列台の周壁に連結して深底とし、何枚ものブラジャーを収納できるようにしている。
【０００９】
さらに、本発明は、略長方形状の基板からなり、周壁と底壁との境界位置および４隅に折り目線を設けると共に、上記底壁には一対の半球状のカップ保持突起を設けておき、
上記周壁を底壁の裏面側に折り返すと共に平面状に折り畳んで台紙状のブラジャー陳列台からなる包装容器とする一方、ブラジャーを購入したユーザーが、この折り畳まれた状態から上記周壁を表面側へと折り返して上記底壁の周縁から起立させ、上面開口のブラジャー収納ボックスにできる構成としているブラジャー陳列台兼ブラジャー収納容器を提供している。
【００１０】
上記陳列台紙としての形状および収納容器としての形状を保持するため、基板の四隅の形状を重ね合わせ保持できる形状とし、あるいは別体の留具を用いて形状保持をはかっても良い。
また、陳列台紙として用いる際に、ブラジャーを取り付けて状態で透明包装フィルムで包装して平板形状に保持しておいてもよい。
【００１１】
上記底壁と周壁との境界および、４隅の折り目線は薄肉部として容易に屈曲できるようにし、かつ、樹脂成形品の場合は留具となる係止部を一体成形で突設してもよい。
【００１２】
【発明の実施の形態】
以下、本発明の実施形態を図面を参照して説明する。
図１および図２は参考実施形態を示す。
【００１３】
参考実施形態は、主としてブラジャー収納容器として利用できるように予め形成しているものである。
ブラジャー収納容器１は樹脂で一体成形した透明容器からなり、長方形状の底壁２と周壁３とからなる上面開口のボックス状態としている。
上記底壁２には、左右に半球状に膨らませた一対のカップ保持突起４（４Ａ、４Ｂ）を設け、その間隔はブラジャー５０のカップ部５０ａの間隔に対応させている。
周壁３の高さは複数枚（例えば５枚〜１０枚程度）のブラジャーを重ねて収容できる寸法に設定し、かつ、カップ保持突起４を突設している底壁２の面積は、ブラジャーの正面側（前身頃側）を平置きできる寸法としている。
【００１４】
また、本参考実施形態では、底壁２の表面にブラジャーを印刷したフィルム５を貼り付け、該フィルム５に印刷したカップ部５ａをカップ保持突起４に被せ、ブラジャー収納容器１の使い方が一目で認識できるようにしている。
【００１５】
図２に示すように、上記ブラジャー収納容器１はタンスの引き出し内に入れて用いることが好ましい。該ブラジャー収納容器１内に洗濯後のブラジャー５０を収納し、そのカップ部５０ａをカップ保持突起４に被せると、カップ部５０ａの形状が型崩れしない。ブラジャー５０のバック部５０ｂは正面側の裏面に折り畳んで収容する。
このようにして、複数枚のブラジャー５０を順次被せて収納することで、ブラジャー５０をタンスの内部において、他の衣類と混在させずに収納することができる。また、タンス内に入れて用いるため、上面を開口としても問題はなく、かつ、着用時に簡単に取り出すことができる。
【００１６】
なお、タンス内にブラジャー収納容器に位置決め配置領域を設け、タンス内に予め上記ブラジャー収納容器を組み込んでおいてもよい。
【００１７】
図３および図４に本発明の第１実施形態を示す。
ブラジャー陳列台とする場合には、周壁の高さを低くしておくことが好ましいが、収納容器として利用する時は周壁をある程度高くすることが好ましい。よって、図３および図４に示すように、オプションの周壁材８を用意しておき、この周壁材８に係止片８ａを突設する一方、ブラジャー収納容器１の周壁２に切れ目２ｃを入れておき、該切れ目２ｃに係止片８ａを挿入することで連結手段を付け足して深底としている。このように、ブラジャーを購入したユーザーが、自宅においてタンス内に配置してブラジャー収納容器として用いることができれば、非常に使い勝手の良いものとなる。
【００１８】
図５乃至図９は第２実施形態を示す。
第２実施形態では、図５に示す長方形状とした厚紙からなる基板１１を折り曲げて、図６及び図７に示すブラジャー陳列台１２として用いていたものを、図８に示すように、第１実施形態と同様の上面開口のボックス状のブラジャー収納容器１０と出来るようにして兼用している。
【００１９】
上記基板１１には底壁１３と周壁１４との境界用の折り目線１５を設けている。基板１１の４隅部分１１ａは、折り目線１５の各頂点Ｐから各辺の折り目線１５を基板１１の先端まで延在させた折り目線１６で囲むと共に、上記Ｐから対角状に折り目線１７を設けている。また、短辺側の周壁１４には折り返し部１４ａを折り目線１８を介して延在させ、この折り返し部１４ａにより容器とした状態で上記４隅部分１１ａを挟みこむようにしている。
【００２０】
また、底壁１３には左右一対の丸穴１９を設け、該丸穴１９に樹脂成形品からなるカップ保形材２０を取り付けている。該カップ保形材２０は半球殻状のカップ保持突起２０ａと、その周縁に断面コ字状とした係止部２０ｂを備え、図６に示すように、係止部２０ｂ内に丸穴１９の周縁を嵌合させて、底壁１３よりカップ保持突起２０ａを突出させている。
【００２１】
図７に示す台紙状のブラジャー陳列台１２として用いる場合は、底壁１３の裏面側に重ねるように、周壁１４を折り目線１５で折り曲げると共に、４隅部分１１ａは折り目線１６および１７を折り曲げて重ね合わせ、留具のクリップ２２で係止して、底壁１３の裏面側に周壁１３が平板状に重ね保持している。なお、ブラジャー５０を取り付けた状態で包装フィルムで包むことによりクリップ２２を不要としてもよい。
【００２２】
この状態で、販売するブラジャー５０’のカップ部５０ａ’をカップ保持突起２０ａに被せると共に、バック部５０ｂ’および肩紐５０ｃ’を裏面側に折り曲げ、折り返している周壁１４と底壁１３の隙間に挿入保持している。
これにより、底壁１３の表面に販売するブラジャー５０’を位置決め保持することができる。あるいは、バック部５０ｂ’の両端同士を着用時と同様にフックで引っかけておいても位置決め保持できる。
【００２３】
上記ブラジャー陳列台１２に保持された状態でブラジャー５０’を購入したユーザーは、ブラジャー５０’をブラジャー陳列台１２より取り外した後に、図８に示すブラジャー収納容器１０として組み立てる。
【００２４】
即ち、折り目線１５で周壁１４を折り返して底壁１３に対して上向きに起立させる。４隅部分１１ａでは折り目線１６、１７を折り曲げ、図９に示すように、重ねられる重ね部１４ｂを短辺側の周壁１４の内面に重ね、周壁１４の折り返し部１４ａ内にはめ込んで係止する。これにより、底壁１３の全周から周壁１４が起立して、上面開口のボックス状のブラジャー収納容器１０となる。なお、周壁１４の４隅は前記クリップ２２で止めておいてもよい。
【００２５】
上記ブラジャー収納容器１０では、底壁１３に一対のカップ保持突起２０ａが突出しているため、第１実施形態のブラジャー収納容器１と同様な使い方ができ、タンス内に配置し、洗濯後のブラジャーを順次被せて収納することができる。
【００２６】
第２実施形態では基板１１に別体のカップ保形材２０を取り付けているが、樹脂成形の薄板とする場合には、底壁１３にカップ保持突起を一体成形で設けておけばよい。また、折り目線１５〜１８は薄肉ヒンジ部として成形しておけばよい。
【００２７】
また、ブラジャー陳列台紙と兼用する場合には、最も目立つカップ保持突起の表面にブラジャー製造会社のマークやブラジャーの商品名を付したフィルムを貼着しておくと、ユーザーはブラジャーを会社別に収納しておくこともできると共に、会社側にとっても持続的な宣伝手段となる。
【００２８】
本発明は上記実施形態に限定されず、ブラジャー陳列台とする場合は、周壁を底壁の裏面側に重ねて折り返し保持でき、ブラジャー収納容器とする場合には周壁を底壁の表面側から起立させると共に四隅を連結する構成であれば、いずれの形状も採用できる。
【００２９】
【発明の効果】
以上の説明より明らかなように、従来はブラジャーをタンス内部でまとめて整理することが出来ないと共にカップの形状保持が出来なかったが、本発明では、ブラジャーのカップ形状を保持した状態で重ねて収納しておくことができ、タンス内部の整理整頓上で使い勝手の良いものとなる。
【００３０】
また、ブラジャー販売時の陳列台として兼用できるため、ユーザーあるいは販売者が従来破棄していた陳列台紙を有効することができ、ブラジャーの販売促進にも寄与することができる。
【図面の簡単な説明】
【図１】  （Ａ）は本発明の参考実施形態のブラジャー収納容器の斜視図、（Ｂ）は断面図である。
【図２】  参考実施形態の使用例を示す図面である。
【図３】  第１実施形態の分解斜視図である。
【図４】  第１実施形態の連結方法を示す図面である。
【図５】  第２実施形態の基板およびカップ保形材を示す図面である。
【図６】  基板とカップ保形材の連結状態を示す要部断面図である。
【図７】  ブラジャー陳列台紙としての使用例を示し、（Ａ）は概略断面図、（Ｂ）は概略平面図、（Ｃ）は概略底面図である。
【図８】  ブラジャー収納容器としての使用例を示す概略斜視図である。
【図９】  ４隅の保持状態を示す要部断面図である。
【符号の説明】
１、１０  ブラジャー収納容器
２、１３  底壁
３、１４  周壁
４、２０ａ  カップ保持突起
８  オプションの周壁材
１５〜１８  折り目線
２０      カップ保形材
５０  ブラジャー
５０ａ  カップ部
【図１】
0004044343.tif 000002
【図２】
0004044343.tif 000003
【図３】
0004044343.tif 000004
【図４】
0004044343.tif 000005
【図５】
0004044343.tif 000006
【図６】
0004044343.tif 000007
【図７】
0004044343.tif 000008
【図８】
0004044343.tif 000009
【図９】
0004044343.tif 000010